(57)【要約】【課題】外部筒体と継手との間の接続部分の構成を簡易にすることができ、組付けが容易であるとともに、接続部分における漏水を防止することができる浴槽用循環具を提供する。【解決手段】浴槽用循環具１０は、浴槽の側壁１２外面に配置される外部筒体１１と、側壁１２内面に配置されて前記外部筒体１１に組付けられる内部筒体５０とにより構成されている。前記外部筒体１１には、給湯器で加熱された加熱水を浴槽内へ送る往き側配管１５が接続される接続筒部１６及び浴槽水を給湯器へ戻す戻り側配管に接続される連結筒部が設けられている。前記接続筒部１６及び連結筒部には各々往き側配管１５及び戻り側配管の差し込み操作だけで接続を行うワンプッシュ式の第１継手及び第２継手１８の継手本体２３が一体に形成されている。【選択図】図１
2012167882.tif 000002
【特許請求の範囲】
【請求項１】
浴槽の側壁外面に配置される外部筒体と、側壁内面に配置されて前記外部筒体に組付けられる内部筒体とを備え、
前記外部筒体には、給湯器で加熱された加熱水を浴槽内へ送る往き側配管が接続される接続筒部及び浴槽水を給湯器へ戻す戻り側配管に接続される連結筒部が設けられるとともに、前記接続筒部及び連結筒部には各々往き側配管及び戻り側配管の差し込み操作だけで接続を行うワンプッシュ式継手の継手本体が一体に形成されていることを特徴とする浴槽用循環具。
【請求項２】
前記継手本体は外筒部と内筒部で構成され、これらの外筒部と内筒部との間の差込空間に往き側配管又は戻り側配管が差し込まれるように構成されるとともに、外筒部と差込空間に差し込まれる往き側配管又は戻り側配管との間にはシール機構が設けられていることを特徴とする請求項１に記載の浴槽用循環具。
【請求項３】
前記シール機構は、外筒部の内周に形成された係止段部と、該係止段部に装着されるシールリングと、該シールリングを押えるシールリング押えとにより構成されていることを特徴とする請求項２に記載の浴槽用循環具。
【請求項４】
前記継手本体の外筒部にはキャップが嵌挿されるとともに、外筒部とキャップとの間には差込空間に差し込まれた往き側配管又は戻り側配管を抜け止めする抜け止め機構を備えていることを特徴とする請求項２又は請求項３に記載の浴槽用循環具。
【請求項５】
前記外部筒体、継手本体及びキャップはガラス繊維強化樹脂により形成されていることを特徴とする請求項４に記載の浴槽用循環具。
【発明の詳細な説明】
【技術分野】
【０００１】
本発明は、浴槽の側壁外面に配置される外部筒体と、側壁内面に配置されて外部筒体に組付けられる内部筒体とにより構成された浴槽用循環具に関する。さらに詳しくは、外部筒体の配管接続部にワンプッシュ式継手の継手本体が一体に形成されている浴槽用循環具に関する。
【背景技術】
【０００２】
この種の浴槽用循環具においては、浴槽の側壁に設けられた貫通孔に浴槽内から挿通された内部筒体が浴槽外の外部筒体に締付けられて側壁に固定されている。外部筒体には一対の継手が設けられ、一方の継手が給湯器からの加熱水を浴槽内へ供給する往き側配管に接続され、他方の継手が浴槽水を給湯器へ戻す戻り側配管に接続されている。そして、浴槽水は内部筒体の吸入用流路から戻り側配管を通って給湯器へ戻され、給湯器で加熱された加熱水が往き側配管から内部筒体の吐出用流路を流れて浴槽内へ吐出されるように構成されている。
【０００３】
具体的には、本願出願人が特許文献１に記載されているような浴槽用一口循環具を提案した。すなわち、この浴槽用一口循環具は、加熱器に取付けられる吐出パイプと導入パイプを接続する一対のパイプ接続筒部を有するとともに、流出通路と流入通路を有する循環口本体を備えている。該循環口本体は、浴槽の側壁に循環口本体を取付けるための取付部と、同取付部に接続される継手部とに分割して構成されている。前記取付部は、鍔部を備え浴槽側壁の取付孔に嵌挿されるスリーブと、浴槽側壁の外側からスリーブの雄ねじに螺合されるナットと、フランジを備え浴槽側壁の内側からスリーブ内に嵌挿される基体とより構成されている。一方、継手部はパイプ接続筒部を有し、浴槽側壁の外側から取付部の基体に連結されるようになっている。
【先行技術文献】
【特許文献】
【０００４】
【特許文献１】特開２００１−５０５９４号公報
【発明の概要】
【発明が解決しようとする課題】
【０００５】
しかしながら、特許文献１に記載された従来構成では、継手部としての後面ケースがクリップによって取付部の基体に連結されるとともに、後面ケース内に隔壁が設けられて一対のパイプ接続筒部が形成され、パイプを抜け止めするロックリングが介装された状態で押圧体がパイプ接続筒部に螺合されている。このため、継手部の構成が複雑であり、各部材の組付けが煩雑であるとともに、各部材の連結部分から漏水するおそれがあるという問題があった。
【０００６】
そこで本発明の目的とするところは、外部筒体と継手との間の接続部分の構成を簡易にすることができ、組付けが容易であるとともに、接続部分における漏水を防止することができる浴槽用循環具を提供することにある。
【課題を解決するための手段】
【０００７】
上記の目的を達成するために、請求項１に係る発明の浴槽用循環具は、浴槽の側壁外面に配置される外部筒体と、側壁内面に配置されて前記外部筒体に組付けられる内部筒体とを備え、前記外部筒体には、給湯器で加熱された加熱水を浴槽内へ送る往き側配管が接続される接続筒部及び浴槽水を給湯器へ戻す戻り側配管に接続される連結筒部が設けられるとともに、前記接続筒部及び連結筒部には各々往き側配管及び戻り側配管の差し込み操作だけで接続を行うワンプッシュ式継手の継手本体が一体に形成されていることを特徴とする。
【０００８】
請求項２に記載の発明は、請求項１に係る発明において、前記継手本体は外筒部と内筒部で構成され、これらの外筒部と内筒部との間の差込空間に往き側配管又は戻り側配管が差し込まれるように構成されるとともに、外筒部と差込空間に差し込まれる往き側配管又は戻り側配管との間にはシール機構が設けられていることを特徴とする。
【０００９】
請求項３に記載の発明は、請求項２に係る発明において、前記シール機構は、外筒部の内周に形成された係止段部と、該係止段部に装着されるシールリングと、該シールリングを押えるシールリング押えとにより構成されていることを特徴とする、
請求項４に記載の発明は、請求項２又は請求項３に係る発明において、前記継手本体の外筒部にはキャップが嵌挿されるとともに、外筒部とキャップとの間には差込空間に差し込まれた往き側配管又は戻り側配管を抜け止めする抜け止め機構を備えていることを特徴とする。
【００１０】
請求項５に記載の発明は、請求項４に係る発明において、前記外部筒体、継手本体及びキャップはガラス繊維強化樹脂により形成されていることを特徴とする。
【発明の効果】
【００１１】
本発明によれば、次のような効果を発揮することができる。
請求項１に係る発明の浴槽用循環具において、外部筒体には給湯器で加熱された加熱水を浴槽内へ送る往き側配管が接続される接続筒部及び浴槽水を給湯器へ戻す戻り側配管に接続される連結筒部が設けられている。そして、これらの接続筒部及び連結筒部には各々往き側配管及び戻り側配管の差し込み操作だけで往き側配管及び戻り側配管の接続を行うワンプッシュ式継手の継手本体が一体に形成されている。
【００１２】
このため、外部筒体と継手本体を別個に成形する必要がなく、さらに外部筒体の接続筒部及び連結筒部に対して継手本体を組付ける必要もない。加えて、外部筒体の接続筒部及び連結筒部と継手本体との間における漏水のおそれもない。
【００１３】
従って、本発明の浴槽用循環具によれば、外部筒体と継手との間の接続部分の構成を簡易にすることができ、組付けが容易であるとともに、接続部分における漏水を防止することができるという効果を発揮する。
【図面の簡単な説明】
【００１４】
【図１】実施形態における浴槽用循環具を浴槽の側壁に固定した状態を示す断面図。
【図２】外部筒体に対する継手の連結部分を示す要部拡大断面図。
【図３】（ａ）は外部筒体に対して組付けられる継手を分解して示す断面図、（ｂ）は外部筒体内及び継手内に継手部品を組付けた状態を示す断面図。
【図４】浴槽用循環具全体を示す分解斜視図。
【図５】外部筒体を外端側から見た状態の側面図。
【発明を実施するための形態】
【００１５】
以下、本発明を具体化した実施形態を図１〜図５に従って詳細に説明する。
図４及び図５に示すように、本実施形態の浴槽用循環具１０を構成する外部筒体１１は浴槽の側壁１２外面に配置され、その外端部には図示しない給湯器への戻り側配管１３に接続される連結筒部１４及び給湯器からの往き側配管１５に接続される接続筒部１６が設けられている。前記連結筒部１４及び接続筒部１６にはワンプッシュ式（ワンタッチ式）の第１継手１７及び第２継手１８が連結されている。戻り側配管１３又は往き側配管１５は、ポリオレフィン（架橋ポリエチレン、ポリブテン等）などの合成樹脂により形成されている。
【００１６】
そして、浴槽水を連結筒部１４から第１継手１７、戻り側配管１３を介して給湯器に送り、給湯器で加熱された加熱水（湯）を往き側配管１５から第２継手１８、接続筒部１６へ循環するように構成されている。本実施形態の浴槽用循環具１０は無極性のものであり、外部筒体１１の第１継手１７及び第２継手１８と給湯器の配管接続部分との間の配管の接続は制限されない。
【００１７】
外部筒体１１の開口端部には拡径筒部１９が設けられ、その拡径筒部１９にはゴム製のシール部材２０が被せられ、側壁１２の外面に密着されて外部筒体１１と浴槽の側壁１２との間の水密が保たれている。外部筒体１１の内周面には雌ねじ２１が刻設されるとともに、外部筒体１１内には往き側筒２２が外部筒体１１の軸線方向に突出形成されている。往き側筒２２内の流路は接続筒部１６に通じ、外部筒体１１と往き側筒２２との間の流路が連結筒部１４に通じている。
【００１８】
ここで、前記第１継手１７及び第２継手１８について説明する。図１及び図２に示すように、第１継手１７及び第２継手１８の継手本体２３は外部筒体１１の連結筒部１４及び接続筒部１６に一体形成されるとともに、その基端側にはフランジ２４が突設されている。継手本体２３は外周側の外筒部２５と内周側の内筒部２６とにより構成され、これら外筒部２５と内筒部２６との間の差込空間２７に往き側配管１５又は戻り側配管１３が挿入されるようになっている。外筒部２５の外周面には、２条の係合突条２８が一定間隔をおいて突出形成されている。外筒部２５内周の開口側には係止段部２９が設けられ、該係止段部２９にはシールリング３０が装着されている。
【００１９】
外筒部２５の内周には位置決め用段差３１が形成され、該位置決め用段差３１に係合するようにシールリング押え３２が配置され、シールリング３０の抜け落ちを防止している。前記係止段部２９、シールリング３０及びシールリング押え３２等により、往き側配管１５又は戻り側配管１３の外周面と外筒部２５との間を水密に保持するシール機構３３が構成されている。図３（ｂ）に示すように、内筒部２６の外周面にはＣリング状をなし拡縮可能に形成された差し込みガイド３４が配置され、往き側配管１５又は戻り側配管１３が差込空間２７に差し込まれたとき往き側配管１５又は戻り側配管１３の先端部を案内するようになっている。
【００２０】
図２に示すように、前記外筒部２５の外周にはキャップ３５が嵌挿され、キャップ３５内周面に設けられた２条の係合凹条３６が外筒部２５の係合突条２８に係合してキャップ３５が外筒部２５に連結されるように構成されている。キャップ３５が外筒部２５に連結された状態で、その外端部には往き側配管１５又は戻り側配管１３が差し込まれる差込用開口３７が形成されている。キャップ３５内周面の保持用段差３８と外筒部２５の外端面との間には保持環３９が介装され、抜け止めリング４０を保持するように構成されている。該抜け止めリング４０は、キャップ３５の差込用開口３７から差込空間２７に差し込まれた往き側配管１５又は戻り側配管１３を抜け止めするもので、ステンレス鋼等の金属で形成されている。この抜け止めリング４０の内周部には抜け止め片４０ａが斜め方向に突出形成され、往き側配管１５又は戻り側配管１３の外周部に食い込んで抜け止めするようになっている。
【００２１】
この抜け止めリング４０とキャップ３５内周の第１斜面４１との間には、傾斜面４３を有する割りリング４４が介在され、抜け止め片４０ａの傾斜角度を保持するようになっている。また、割りリング４４にはキャップ３５の第１斜面４１と同じ傾斜角度を有する第２斜面４５が形成され、往き側配管１５又は戻り側配管１３の引抜き方向への力により抜け止めリング４０を介して軸線方向の外方への力を受けたとき、割りリング４４を縮径させるように構成されている。この場合、割りリング４４の内周面に形成された締付面４６が往き側配管１５又は戻り側配管１３を締付けるようになっている。往き側配管１５又は戻り側配管１３の抜け止め機構４７は、前記抜け止めリング４０、保持環３９、割りリング４４等により構成されている。
【００２２】
前記外部筒体１１、継手本体２３及びキャップ３５は、ガラス繊維強化樹脂、例えばガラス繊維強化ポリフェニレンサルファイド（ＰＰＳ）により形成され、強度向上が図られている。
【００２３】
図１及び図４に示すように、浴槽の側壁１２内面には内部筒体５０が配置され、浴槽の側壁１２を挟んで前記外部筒体１１に組付けられている。内部筒体５０を構成する締付筒体５１はポリフェニレンサルファイド等の合成樹脂により円筒状に形成され、その内端部（図１の左端部）にはフランジ部５２が突設されている。締付筒体５１の外周面には雄ねじ５３が螺刻されている。
【００２４】
前記フランジ部５２の外周面には、端部側が雄ねじ５３側より高くなるように形成された被係合段部５４が環状に形成されている。締付筒体５１の内周面には回り止め突条５５が設けられている。この締付筒体５１は浴槽の側壁１２の内側に配置され、ポリエチレン（ＰＥ）製のパッキン５６とゴム製のシール部材５７が介装された状態で側壁１２の貫通孔１２ａに挿通される。そして、締付筒体５１の雄ねじ５３が側壁１２の外部に配置された外部筒体１１の雌ねじ２１に螺合固定されるとともに、締付筒体５１と浴槽の側壁１２との間の水密が保たれるようになっている。
【００２５】
内部筒体５０を構成する区画部材５８はポリアセタール等の合成樹脂により形成され、区画部材本体５９とその中心より締付筒体５１側へ延びる筒部６０とにより構成されている。区画部材本体５９の外周部には締付筒体５１側に延びる係合爪６１が突設され、締付筒体５１の被係合段部５４に係合され、締付筒体５１から区画部材５８の抜け出しが防止されている。
【００２６】
前記区画部材本体５９及びその筒部６０により、前記外部筒体１１の接続筒部１６に接続される吐出用流路６２が形成されるとともに、その周囲には外部筒体１１の連結筒部１４に接続される吸入用流路６３が区画形成されている。これら吐出用流路６２及び吸入用流路６３は、それらの方向が９０度変更されるとともに、正面ハの字状をなすように斜め下方へ延びている。斯かる吐出用流路６２及び吸入用流路６３の流路を変更する流路方向変更部６４は、区画部材本体５９と一体成形されている。流路方向が変更された吐出用流路６２及び吸入用流路６３の吐出用開口部６５には、開閉弁６６が開閉可能に支持されるとともに、該開閉弁６６を保持する弁体カバー６７が装着されている。この弁体カバー６７には、浴槽水を吸入する吸入用開口部６８が設けられている。
【００２７】
この区画部材５８において、浴槽水は一方（図４中の左側）の弁体カバー６７の吸入用開口部６８から吸入され、流路方向変更部６４の吸入用流路６３へ流れるとともに、加熱水は流路方向変更部６４の吐出用流路６２から開閉弁６６を通って浴槽内へ吐出されるようになっている。
【００２８】
図４に示すように、区画部材５８の外周部には、区画部材本体５９に片持ち支持された弾性変形部６９が突設され、その外周面には内部筒体５０を構成するフィルターカバー７０の係合突起７１を案内、保持する案内保持部７２が設けられている。フィルターカバー７０はステンレス鋼により有底円筒状に形成され、前面に多数の流通孔７３を有している。フィルターカバー７０の周壁の２箇所には吐出孔７４が開口され、区画部材５８の吐出用開口部６５に連通されている。以上のように内部筒体５０は締付筒体５１、区画部材５８及びフィルターカバー７０等により構成され、浴槽用循環具１０は第１継手１７と第２継手１８を有する外部筒体１１及び内部筒体５０等により構成されている。
【００２９】
上記のように構成された浴槽用循環具１０を浴槽の側壁１２に取付固定する場合には、浴槽の側壁１２の貫通孔１２ａに内側から締付筒体５１をパッキン５６及びシール部材５７が嵌挿された状態で挿通し、その雄ねじ５３を側壁１２外面に位置する外部筒体１１の雌ねじ２１に螺合して締付け固定する。次いで、区画部材５８の筒部６０を締付筒体５１内に挿入して区画部材５８の係合爪６１を締付筒体５１の被係合段部５４に係合させる。このようにして、区画部材５８の吸入用流路６３が外部筒体１１の連結筒部１４に接続されると同時に、吐出用流路６２が外部筒体１１の接続筒部１６に連通される。続いて、フィルターカバー７０を区画部材５８に固定することにより、浴槽用循環具１０が浴槽の側壁１２に取付固定される。
【００３０】
その状態において、浴槽水を強制循環させると、浴槽水はフィルターカバー７０前面の流通孔７３から吸い込まれ、区画部材５８の吸入用開口部６８から吸入用流路６３を通って外部筒体１１の連結筒部１４及び第１継手１７に流れ、さらに戻り側配管１３を経て給湯器に到る。給湯器で加熱された加熱水は往き側配管１５から第２継手１８及び外部筒体１１の接続筒部１６を介して区画部材５８の吐出用流路６２、吐出用開口部６５からフィルターカバー７０の吐出孔７４を経て浴槽内へ吐出される。
【００３１】
次に、本実施形態の浴槽用循環具１０について作用を説明する。
さて、図５に示すように、外部筒体１１の連結筒部１４及び接続筒部１６には各々戻り側配管１３及び往き側配管１５の接続を行うワンプッシュ式の第１継手１７及び第２継手１８の継手本体２３が一体に形成されている。このため、第１継手１７及び第２継手１８を有する外部筒体１１をガラス繊維強化ポリフェニレンサルファイドで樹脂成形を行うときに、同時に継手本体２３を成形することができる。従って、継手本体２３にシール機構３３及び抜け止め機構４７を組み込んでキャップ３５を圧入し、連結することにより、第１継手１７及び第２継手１８を形成することができる。
【００３２】
さらに、連結筒部１４と第１継手１７の継手本体２３との間及び接続筒部１６と第２継手１８の継手本体２３との間には接続部分がないことから、浴槽水は連結筒部１４から第１継手１７の継手本体２３へ漏れることなく円滑に流れ、加熱水は第２継手１８の継手本体２３から接続筒部１６へ漏れることなく円滑に流れる。
【００３３】
以上の実施形態によって発揮される効果について、以下にまとめて記載する。
（１）この実施形態における浴槽用循環具１０において、外部筒体１１の連結筒部１４及び接続筒部１６には各々戻り側配管１３及び往き側配管１５の接続を行うワンプッシュ式の第１継手１７及び第２継手１８の継手本体２３が一体に形成されている。このため、外部筒体１１と継手本体２３を別個に成形する必要がなく、さらに外部筒体１１の連結筒部１４及び接続筒部１６に対して継手本体２３を組付ける必要もない。加えて、外部筒体１１の連結筒部１４及び接続筒部１６と継手本体２３との間における漏水のおそれもない。
【００３４】
従って、この実施形態の浴槽用循環具１０によれば、外部筒体１１と第１継手１７及び第２継手１８との間の接続部分の構成を簡易にすることができ、組付けが容易であるとともに、接続部分における漏水を防止することができるという効果を発揮する。
（２）前記継手本体２３は外筒部２５と内筒部２６で構成され、これらの外筒部２５と内筒部２６との間の差込空間２７に往き側配管１５又は戻り側配管１３が差し込まれるように構成されるとともに、外筒部２５と差込空間２７に差し込まれる往き側配管１５又は戻り側配管１３との間にはシール機構３３が設けられている。このため、外筒部２５と往き側配管１５又は戻り側配管１３との間から加熱水や浴槽水が漏れることを防止することができる。
（３）前記シール機構３３は、外筒部２５の内周に形成された係止段部２９と、該係止段部２９に装着されるシールリング３０と、該シールリング３０を押えるシールリング押え３２とにより構成されている。従って、シール機構３３を簡単な構成で、容易に形成することができる。
（４）前記継手本体２３の外筒部２５にはキャップ３５が圧入により嵌挿されるとともに、外筒部２５とキャップ３５との間には差込空間２７に差し込まれた往き側配管１５又は戻り側配管１３を抜け止めする抜け止め機構４７を備えている。そのため、キャップ３５を継手本体２３の外筒部２５に圧入するだけで簡単に連結することができるとともに、往き側配管１５又は戻り側配管１３をワンプッシュ操作で差込空間２７へ差し込むだけで抜け止めを図ることができると同時に、接続操作を完了することができる。
（５）前記外部筒体１１、継手本体２３及びキャップ３５は、ガラス繊維強化ポリフェニレンサルファイド等のガラス繊維強化樹脂により形成されている。このため、外部筒体１１、第１継手１７、第２継手１８及びキャップ３５の強度を向上させることができるとともに、継手本体２３とキャップ３５とを強固に連結することができる。
【００３５】
なお、本実施形態は、次のように変更して具体化することも可能である。
・  前記継手本体２３の外筒部２５における２条の係合突条２８及びキャップ３５の２条の係合凹条３６をそれぞれ１条にしたり、係合突条２８を環状でない係合突起にしたり、係合凹条３６を環状でない係合凹部にしたりすることも可能である。
【００３６】
・  前記キャップ３５の外周面に補強リングを装着し、継手本体２３の外筒部２５とキャップ３５との連結を補強するように構成することもできる。
・  浴槽用循環具１０は有極性のもの、すなわち外部筒体１１の連結筒部１４及び接続筒部１６と給湯器の配管接続部分との間の配管の接続が定められているものであっても差し支えない。
【００３７】
・  前記ガラス繊維強化樹脂として、ガラス繊維強化ポリアセタール等を使用することも可能である。
【符号の説明】
【００３８】
１０…浴槽用循環具、１１…外部筒体、１２…側壁、１３…戻り側配管、１４…連結筒部、１５…往き側配管、１６…接続筒部、１７…第１継手、１８…第２継手、２３…継手本体、２５…外筒部、２６…内筒部、２７…差込空間、２９…係止段部、３０…シールリング、３２…シールリング押え、３３…シール機構、３５…キャップ、４７…抜け止め機構、５０…内部筒体。
【図１】
2012167882.tif 000003
【図２】
2012167882.tif 000004
【図３】
2012167882.tif 000005
【図４】
2012167882.tif 000006
【図５】
2012167882.tif 000007